(57)【要約】【課題】端子強度を向上することができる端子を提供することを目的とする。【解決手段】電線と接続された端子４の箱部４１は、天井板４６と内板４５を有している。天井板４６は、切欠き部４６３により成形された前方天井板４６１と後方天井板４６２からなっている。後方天井板４６２は、切欠き部４６３が成形されることより凸部係合面４６２Ａを有している。内板４５は凸部４５Ａを有している。天井板４６と内板４５が重ねられた状態で、凸部４５Ａと凸部係合面４６２Ａが係合している。【選択図】図５
2019212549.tif 000002
【特許請求の範囲】
【請求項１】
電線、および、前記電線と接続された端子を備え、
前記端子は、箱部と電線接続部を有しており、
前記箱部は、前後方向と直交する方向における断面が矩形状であり、
前記箱部は、底板と、第１側板と、第２側板と、内板、および、天井板を有しており、
前記第１側板と前記第２側板は、幅方向において対向しており、
前記底板と前記内板は、高さ方向において対向しており、
前記天井板は、
前記内板のうち、前記底板と対向する側とは反対側で前記内板と重ねられており、かつ、
前後方向において、中間に切欠き部が成形されており、前方向側の前方天井板と、後方向側の後方天井板からなっており、
前記前方天井板は、後方向側に第１被係止部を有しており、
前記後方天井板は、前方向側に凸部係合面と、後方向側に第２被係止部を有しており、
前記内板は、前記天井板側に突出する凸部を有しており、
前記凸部は、前後方向において前記凸部係合面と係合している
ことを特徴とする端子。
【請求項２】
請求項１に記載の端子と、ハウジング、および、リテーナを備え、
前記ハウジングは、ハウジング本体を有しており、
前記ハウジング本体には、前後方向において、前記ハウジング本体を貫通する端子収容室が成形されており、かつ、
前記端子収容室の後方向側に開口部を有しており、
前記端子収容室は、前後方向と直交する方向における断面が矩形状であり、
前記ハウジング本体は、
前記端子収容室内に第１係止部が突出する弾性変形可能なランスと、
前記ハウジング本体の下方向側の面である本体下表面と、
前後方向において、前記ランスの後方向側に位置して、前記端子収容室を分離するリテーナ挿入空間と、
前記リテーナ挿入空間の下方向側に形成される挿入空間開口部と、
を有しており、
前記端子は、前記ハウジング本体の後方向側の前記開口部から前記端子収容室に挿入されるものであり、
前記リテーナは、
前記ハウジング本体の下方向側の前記挿入空間開口部から上方向に向けて前記リテーナ挿入空間に挿入されるものであり、かつ、
突条部と、
第２係止部と、
前記リテーナの下方向側の面であるリテーナ下表面と、
を有しており、
前記突条部は、上方向側に突出しており、かつ、高さ方向から見た場合において、前記切欠き部に侵入可能な寸法であり、
前記端子が前記端子収容室に中途挿入された状態である途中挿入状態において、前記リテーナが上方向に向けて前記リテーナ挿入空間に挿入された場合に、前記突条部が前記凸部と当接し、
前記リテーナ下表面は、前記ハウジング本体の前記本体下表面より所定の突出量に対して前記凸部の突出量分だけ増えて下方向に突出する
ことを特徴とするコネクタ。
【請求項３】
前記ハウジング本体と前記リテーナは、仮係止手段と本係止手段を有する
ことを特徴とする請求項２記載のコネクタ。
【発明の詳細な説明】
【技術分野】
【０００１】
本発明は、コネクタに収容される端子、およびコネクタに関する。
【背景技術】
【０００２】
従来、コネクタにおいては、リテーナがハウジングの仮係止位置に予め保持された状態で、電線と接続された端子が、キャビティに挿入され、キャビティ（端子収容室）の底壁に設けられている撓み変形するランスと端子の被係止部とが係合する。その後、リテーナを仮係止位置から本係止位置に押し込む（挿入）ことにより、リテーナの抜け止め部と端子のアゴ部（リテーナ係止部）とが係合するものが知られている（例えば、特許文献１）。
【先行技術文献】
【特許文献】
【０００３】
【特許文献１】特開２００３−２４３０７９号公報
【発明の概要】
【発明が解決しようとする課題】
【０００４】
特許文献１に記載のコネクタは、端子の接続部は、底板と、一対の対向する側板と、内板、および、天井板を有している。天井板は、凹部が成形されており、凹部に隣接するようにして突出している被係止部を有している。ここで、端子の天井板は、凹部によって強度が弱くなっている。電線と接続された端子を取り扱っている最中に、端子のアゴ部が周辺に引っ掛った状態で電線に引っ張り力が加わると、天井板の後方側を起点として端子が変形する虞がある。
【０００５】
本発明は、上記に鑑みてなされたものであって、端子強度を向上することができる端子を提供することを目的とする。
【課題を解決するための手段】
【０００６】
上述した課題を解決し、目的を達成するために、本発明に係る端子は、電線、および前記電線と接続された端子を備え、前記端子は、箱部と電線接続部を有しており、前記箱部は、前後方向と直交する方向における断面が矩形状であり、前記箱部は、底板と、第１側板と、第２側板と、内板、および、天井板を有しており、前記第１側板と前記第２側板は、幅方向において対向しており、前記底板と前記内板は、高さ方向において対向しており、前記天井板は、前記内板のうち、前記底板と対向する側とは反対側で前記内板と重ねられており、かつ、前後方向において、中間に切欠き部が成形されており、前方向側の前方天井板と、後方向側の後方天井板からなっており、前記前方天井板は、後方向側に第１被係止部を有しており、前記後方天井板は、前方向側に凸部係合面と、後方向側に第２被係止部を有しており、前記内板は、前記天井板側に突出する凸部を有しており、前記凸部は、前後方向において前記凸部係合面と係合していることを特徴とする。
【０００７】
また、本発明に係るコネクタは、端子と、ハウジング、および、リテーナを備え、前記ハウジングは、ハウジング本体を有しており、前記ハウジング本体には、前後方向において、前記ハウジング本体を貫通する端子収容室が成形されており、かつ、前記端子収容室の後方向側に開口部を有しており、前記端子収容室は、前後方向と直交する方向における断面が矩形状であり、前記ハウジング本体は、前記端子収容室内に第１係止部が突出する弾性変形可能なランスと、前記ハウジング本体の下方向側の面である本体下表面と、前後方向において、前記ランスの後方向側に位置して、前記端子収容室を分離するリテーナ挿入空間と、前記リテーナ挿入空間の下方向側に形成される挿入空間開口部と、を有しており、前記端子は、前記ハウジング本体の後方向側の前記開口部から前記端子収容室に挿入されるものであり、前記リテーナは、前記ハウジング本体の下方向側の前記挿入空間開口部から上方向に向けて前記リテーナ挿入空間に挿入されるものであり、かつ、突条部と、第２係止部と、前記リテーナの下方向側の面であるリテーナ下表面と、を有しており、前記突条部は、上方向側に突出しており、かつ、高さ方向から見た場合において、前記切欠き部に侵入可能な寸法であり、前記端子が前記端子収容室に中途挿入された状態である途中挿入状態において、前記リテーナが上方向に向けて前記リテーナ挿入空間に挿入された場合に、前記突条部が前記凸部と当接し、前記リテーナ下表面は、前記ハウジング本体の前記本体下表面より所定の突出量に対して前記凸部の突出量分だけ増えて下方向に突出することを特徴とするコネクタ。
【０００８】
また、上記コネクタにおいて、前記ハウジング本体と前記リテーナは、仮係止手段と本係止手段を有するものである。
【発明の効果】
【０００９】
本発明にかかる端子、およびコネクタは、端子強度が向上するという効果を奏する。
【図面の簡単な説明】
【００１０】
【図１】図１は、本発明の一実施形態に関わるコネクタを示す断面図である。
【図２】図２は、ハウジングの斜視図である。
【図３】図３は、ハウジングの断面図である。
【図４】図４は、リテーナの斜視図である。
【図５】図５は、端子の斜視図である。
【図６】図６は、端子の中途挿入状態を表すコネクタの断面図である。
【図７】図７は、図６の部分断面図である。
【発明を実施するための形態】
【００１１】
以下に、本発明に係るコネクタの実施形態を図面に基づいて詳細に説明する。なお、この実施形態によりこの発明が限定されるものではない。
【００１２】
［実施形態］
図１〜７を参照して本発明の一実施形態に係るコネクタの構成について説明する。
図１は、本発明の一実施形態に関わるコネクタ１を示す断面である。図２は、ハウジング２の斜視図である。図３は、ハウジング２の断面図である。図４は、リテーナ３の斜視図である。図５は、端子４の斜視図である。図６は、端子４の中途挿入状態を表すコネクタ１の断面図である。図７は、図６の部分断面図である。なお、図１と図６において、上下方向Ｚにおける２段の端子収容室２１１内、上方向Ｚ１側の端子収容室２１１に対してのみ、電線Ｗと接続された端子４を表している。
【００１３】
図中で、Ｘはコネクタ１の前後方向を示しており、Ｘ１は前方向であり、ハウジング２に対する端子４の挿入方向でもあり、Ｘ２は後方向であり、ハウジング２に対する端子４の離脱方向でもある。Ｙはコネクタ１の幅方向を示しており、Ｙ１は左方向であり、Ｙ２は右方向である。Ｚは高さ方向を示しており、Ｚ１は上方向であり、Ｚ２は下方向である。なお、Ｘ、Ｙ、Ｚはお互いに直交する方向である。
【００１４】
コネクタ１は、図１に示すように、ハウジング２と、端子４と、リテーナ３を備えており、端子４は、電線Ｗと接続されている。なお、本実施形態におけるコネクタ１は、雄型の端子４が収容される雄型のコネクタである。
【００１５】
ハウジング２は、図２、図３に示すように、フード部２２とハウジング本体２１を有しており、絶縁性の合成樹脂により金型で射出成形されている。フード部２２は、ハウジング２の前方向Ｘ１側に位置している。ハウジング本体２１は、ハウジング２の後方向Ｘ２側に位置している。
【００１６】
フード部２２は、前後方向Ｘと直交する断面が矩形状の筒状である。フード部２２は、その内側に嵌合空間２２２が成形されており、前方向Ｘ１側に嵌合空間２２２に突出するロック突起２２１を有している。フード部２２の嵌合空間２２２には、不図示の相手コネクタが挿入され、ロック突起２２１が相手コネクタのロックと係合することで、相手コネクタがコネクタ１と嵌合される。
【００１７】
ハウジング本体２１は、前後方向Ｘと直交する断面が矩形状の直方体状に形成されている。ハウジング本体２１の下方向Ｚ２側の面が、下表面２１Ａである。ハウジング本体２１には、複数の端子収容室２１１とリテーナ挿入空間２１８が成形されている。ハウジング本体２１は、端子収容室２１１の後方向Ｘ２側に開口部２１６を有しており、リテーナ挿入空間２１８の下方向Ｚ２側に挿入開口空間２１８Ａを有している。本実施形態における各端子収容室２１１は、それぞれが同形状である。ハウジング本体２１は、複数の端子収容室２１１のうち上方向Ｚ１側に向かって突出する第１係止部２１７Ａを有するハウジング本体２１に対して弾性変形可能なランス２１７をそれぞれ有している。ここで、ハウジング本体２１は、ランスの後方向Ｘ２側に位置してリテーナ挿入空間２１８が成形されている。本実施形態におけるハウジング本体２１は、高さ方向Ｚに２段であり、かつ幅方向Ｙに１３列の端子収容室２１１が成形されている。
【００１８】
端子収容室２１１は、前後方向Ｘにおいて、ハウジング本体２１を貫通するように成形された空間である。端子収容室２１１は、ハウジング本体２１の前方向Ｘ１側の前壁２１２と、高さ方向Ｚおいて対向する上壁２１３と下壁２１４、および、幅方向Ｙにおいて対向する側璧２１５により区画されている。端子収容室２１１は、前後方向Ｘと直交する断面が矩形状の直方体状である。なお、図３に示すように、上方向Ｚ１側の端子収容室２１１の下壁２１４は、下方向Ｚ２側の端子収容室２１１の上壁２１３を兼ねている。端子収容室２１１は、前方向Ｘ１側において、前壁２１２の貫通孔２１２Ａを介してフード部２２の嵌合空間２２２と連通しており、また、後方向Ｘ２側において、開口部２１６を介して外部と連通している。
【００１９】
ランス２１７は、基部２１７Ｂと、連結アーム２１７Ｃ、および、第１係止部２１７Ａを有しており、基部２１７Ｂは、ランス２１７の後方向Ｘ２側に位置して下壁２１４と連結しており、また、連結アーム２１７Ｃは、第１係止部２１７Ａの前方向Ｘ１側より前方向Ｘ１に向けて延出されており、前壁２１２と連結している。第１係止部２１７Ａは、連結アーム２１７Ｃと基部２１７Ｂとの間に位置している。ランス２１７は、両持梁状となっており、ランス２１７の下方向Ｚ２側に成形されている撓み空間２１７Ｄに向かって弾性変形が可能である。ここで、電線Ｗと接続された端子４がハウジング本体２１の後方向Ｘ２側の開口部２１６より端子収容室２１１に挿入されと、端子収容室２１１内に突出するランス２１７に対して端子４が摺動を開始し、また、ランス２１７が下方向Ｚ２側の撓み空間２１７Ｄに向かって弾性変形する。端子４が端子収容室２１１の所定位置に収容される、すなわち挿入完了状態においては、ランス２１７に対する端子４の摺動がなくなり、また、ランス２１７が弾性変形から復帰して、ランス２１７の第１係止部２１７Ａと、後述する端子４の第１被係止部４６１Ａとが前後方向Ｘにおいて対向し、係合する（図１参照）。
【００２０】
リテーナ挿入空間２１８は、図３に示すように、ハウジング本体２１における下方向Ｚ２側の挿入空間開口部２１８Ａより上方向Ｚ１に窪むように成形された空間である。リテーナ挿入空間２１８は、幅方向Ｙにおいて、ハウジング本体２１の対向する空間側壁２１Ｂにより区画されており、上方向Ｚ１側は上壁２１３により区画されており、また、下方向Ｚ２側は挿入空間開口部２１８Ａを介して外部と連通している。リテーナ挿入空間２１８は、前後方向Ｘと直交する方向における断面が矩形状の直方体状である。リテーナ挿入空間２１８は、前後方向Ｘにおいて、ランス１７の後方向Ｘ２側であるハウジング本体２１の中間に位置して、複数の端子収容室２１１を分離している。リテーナ挿入空間２１８には、挿入空間開口部２１８Ａより上方向Ｚ１に向けて、リテーナ３が挿入される。対向する空間側壁２１Ｂのそれぞれは、幅方向Ｙにおいて、挿入空間２１８側に突出する仮係止突部２１Ｃと本係止突部２１Ｄを有している。
【００２１】
端子４は、図５に示すように、銅または銅合金等の金属材料からなる導電性の金属板を打ち抜き加工や折り曲げ加工を行うことにより成形されている。端子４は、タブ４８と、箱部４１、および、電線接続部４７を有している。なお、本実施形態における端子４は、タブ４８を有する雄型の端子である。端子４は、電線Ｗと接続されてから、ハウジング本体２１の複数の端子収容室２１１のそれぞれに挿入される。
【００２２】
タブ４８は、箱部４１の前方向Ｘ１側に連設されており、前後方向Ｘと直交する方向における断面が矩形状の直方体状である。タブ４８は、挿入完了状態において、貫通孔２１２Ａを挿通し、嵌合空間２２２に突出する。
【００２３】
箱部４１は、底板４２と、第１側板４３と、第２側板４４と、内板４５、および、天井板４６を有している。箱部４１は、前後方向Ｘと直交する方向における断面が矩形状の筒状である。箱部４１は、第１側板４３と第２側板４４が幅方向Ｙにおいて対向し、底板４２と内板４５が高さ方向Ｚにおいて対向している。底板４２は、幅方向における両端部うち、左方向Ｙ１側の端部において第１側板４３連結し、右方向Ｙ２側の端部において第２側板４４が連結している。第１側板４３は、上方向Ｚ１側の端部において天井板４６と連結している。第２側板４４は、上方向Ｚ１側の端部において内板４５と連結している。天井板４６は、高さ方向Ｚにおいて、内板４５の下方向Ｚ２側に重ねられている。すなわち、天井板４６は、高さ方向Ｚにおいて、内板４５のうち、底板４２と対向する側とは反対側で、内板４５と重ねられている。なお、箱部４１の後方向Ｘ２側には、第１側板４３より下方向Ｚ２に延出して折り返されたスタビライザ４３Ａが設けられている。
【００２４】
天井板４６は、前後方向Ｘにおいて、中間に切欠き部４６３が成形されている。天井板４６は、切欠き部４６３を挟んで、前方向Ｘ１側の前方天井板４６１と後方向Ｘ２側の後方天井板４６２からなっている。切欠き部４６３は、幅方向Ｙにおいて、第１側板４３の左方向Ｙ１側の面から２側板４４の右方向Ｙ２側の面に渡って成形されている。
【００２５】
前方天井板４６１は、第１被係止部４６１Ａを有している。第１被係止部４６１Ａは、前方天井板４６１の後方向Ｘ２側に位置し、打ち出し加工により略三角錐状に成形されている。第１被係止部４６１Ａは、挿入完了状態において、ランス１７の第１係止部２１７Ａと係合する（図１参照）。具体的には、第１係止部２１７Ａの前方向Ｘ１側の面が、略三角錐状の第１被係止部４６１Ａにおける後方向Ｘ２側の面と係合する。
【００２６】
後方天井板４６２は、前方向Ｘ１側に凸部係合面４６２Ａを有し、後方向Ｘ２側に第２被係止部４６２Ｂを有している。凸部係合面４６２Ａは、天井板４６の切欠き部４６３により成形された、後方天井板４６２の前方向Ｘ１側の面である。第２被係止部４６２Ｂは、後方天井板４６２の後方向Ｘ２側の面である。
【００２７】
内板４５は、天井板４６側である下方向Ｚ２に突出する凸部４５Ａを有している。凸部４５Ａは、前後方向Ｘにおいて、内板４５の中間を切起こすことにより成形された板４５Ｂであり、板４５Ｂは、前方向Ｘ１側が内板４５と連結しており、後方向Ｘ２側が下方向Ｚ２側に突出し、前方向Ｘ１側から後方向Ｘ２側にかけて、下方向Ｚ２側に傾斜しており、後方向Ｘ２側に縁部４５Ｃを有している。
【００２８】
凸部４５Ａは、端子４が折り曲げ加工されることで、天井板４６と内板４５とが重ねられると、前後方向Ｘにおいて後方天井板４６２の凸部係合面４６２Ａと係合する。具体的には、凸部４５Ａは、縁部４５Ｃが凸部係合面４６２Ａと係合する。ここで、本実施形態における凸部４５Ａが凸部係合面４６２Ａと係合するとは、端子４を折り曲げ加工することを考慮して、前後方向Ｘにおいて、凸部４５Ａの縁部４５Ｃと凸部係合面４６２Ａの間に隙間がある場合、およびない場合が含まれる。
【００２９】
後方天井板４６２は、後方向Ｘ２側に後方切欠き部４６２Ｃを有している。後方切欠き部４６２Ｃは、幅方向Ｙにおいて、端子４の幅寸法内でスタビライザ４３Ａを下方向Ｚ２に突出させている。後方天井板４６２は、凸部４５Ａにおける後方向Ｘ２側の縁部４５Ｃとスタビライザ４３Ａの前方向Ｘ１側に向いた面で挟まれるように位置している。
【００３０】
電線接続部４７は、箱部４１の後方向Ｘ２側に連設されており、芯線加締め片４７Ａと被覆加締め片４７Ｂを有している。電線接続部４７は、前後方向Ｘに直交する断面視でＵ次状である。電線接続部４７は、図１に示すように、芯線ＷＡに対して芯線加締め片４７Ａが加締められ、また、被覆ＷＢに対して被覆加締め片４７Ｂが加締められる。これにより、端子４に対して電線Ｗが接続される。なお、芯線ＷＡは、銅または銅合金や、アルミニウムまたはアルミニウム合金などの金属材料より成形されている。
【００３１】
リテーナ３は、図４に示すように、前後方向Ｘと直交する方向における断面が矩形状の直方体状であり、絶縁性の合成樹脂により金型で射出成形されている。リテーナ３には、複数の端子挿通孔３１が成形されている。本実施形態におけるリテーナ３は、高さ方向Ｚに２段であり、かつ幅方向Ｙに１３列の端子挿通孔３１が成形されている。なお、各端子挿通孔３１は、それぞれが同形状である。
【００３２】
下方向Ｚ２側の端子挿通孔３１は、高さ方向Ｚにおいて対向する上板３３と下板３４、および、幅方向Ｙにおいて対向する側板３５により区画されている。上方向Ｚ１側の端子挿通孔３１は、高さ方向Ｚにおける下方向Ｚ２側の下板３４、および、幅方向Ｙにおいて対向する側板３５により区画されており、上方向Ｚ１側は区画されていない。ここで、幅方向Ｙの両端部にそれぞれ位置する端子挿通孔３１は、外側板３２と側板３５が対向することにより区画されている。なお、上方向Ｚ１側の端子挿通孔３１に対応する下板３４は、下方向Ｚ２側の端子挿通孔３１の上板３３を兼ねている。また、下方向Ｚ２側の端子挿通孔３１に対応する下板３４は、表面板３４Ａを兼ねており、表面板３４Ａにおける下方向Ｚ２側の面が、リテーナ下表面３Ａである。
【００３３】
左方向Ｙ１側の外側板３２は、左方向Ｙ１に突出する係止突部３２Ａを有しており、また、右方向Ｙ２側の外側板３２は、右方向Ｙ２に突出する係止突部３２Ａを有している。
【００３４】
リテーナ３は、ハウジング本体２１の下方向Ｚ２側の挿入空間開口部２１８Ａより上方向Ｚ１に向けてリテーナ挿入空間２１８に挿入される。ここで、係止突部３２Ａは、リテーナ挿入空間２１８にリテーナ３が挿入された状態において、仮係止突部２１Ｃ、または、本係止突部２１Ｄと係合し、仮係止突部２１Ｃと係合した状態におけるハウジング本体２１に対するリテーナ３の位置を仮係止位置とし、本係止突部２１Ｄと係合した状態におけるハウジング本体２１に対するリテーナ３の位置を本係止位置とする。
【００３５】
リテーナ３が仮係止位置においては、リテーナ３の係止突部３２Ａがハウジング本体２１の仮係止突部２１Ｃと係合し、リテーナ３のリテーナ下表面３Ａは、ハウジング本体２１の下表面２１Ａより下方向Ｚ２に突出している。また、リテーナ３の端子挿通孔３１が、前後方向Ｘにおいてハウジング本体２１の端子収容室２１１と一致して連通している。つまり、仮係止位置においては、端子４を端子収容室２１１に挿入する過程において、端子挿通孔３１に対して端子４を通過することができる。この状態が仮係止状態であり、リテーナ３の係止突部３２Ａとハウジング本体２１の仮係止突部２１Ｃは、仮係止手段を構成している。
【００３６】
リテーナ３が本係止位置においては、リテーナ３の係止突部３２Ａがハウジング本体２１の本係止突部２１Ｄと係合し、リテーナ３のリテーナ下表面３Ａは、図１に示すように、ハウジング本体２１の下表面２１Ａと高さ方向Ｚにおいて略面一になる。また、リテーナ３の端子挿通孔３１がハウジング本体２１の端子収容室２１１に対して上方向Ｚ１側にずれることにより、後述するリテーナ３の第２係止部３６Ａが、端子４の第２被係止部４６２Ｂと係合する（図１参照）。この状態が本係止状態であり、リテーナ３の係止突部３２Ａとハウジング本体２１の本係止突部２１Ｄは、本係止手段を構成している。
【００３７】
リテーナ３は、第２係止部３６Ａと溝部３８、および、突条部３７を有している。
【００３８】
第２係止部３６Ａは、リテーナ３の下板３４における前方向Ｘ１側の面であり、突条部３７の前方向Ｘ１側の面と同一面になっている。
【００３９】
溝部３８は、左方向Ｙ１側では突条部３７と隣接しており、また、右方向Ｙ２側では側板３５、または、外側板３２と隣接している。溝部３８は、下板３４の上方向Ｚ１側において、前後方向Ｘに沿って成形されている。ここで、溝部３８は、仮係止状態で端子４が端子収容室２１１に挿入される過程において、スタビライザ４３Ａの通過を許容するものである。
【００４０】
突条部３７は、左方向Ｙ１側の端部が側板３５、または、外側板３２と連結している。突条部３７は、下板３４における上方向Ｚ１側の面より上方向Ｚ１に突出している。突条部３７は、前方向Ｘ１側の面が下板３４の前方向Ｘ１側の面と同一面となっており、また、後方向Ｘ２側は傾斜面となっており下板３４の後方向Ｘ２側の面にまで達していない。
【００４１】
突条部３７の寸法は、前後方向Ｘにおいて、端子４の切欠き部４６３の寸法よりも小さく設定されている。天井板４６の切欠き部４６３は、幅方向Ｙにおいて第１側板４３における左方向Ｙ１側の面から第２側板４４における右方向Ｙ２側の面に渡って成形されている。つまり、突条部３７は、高さ方向Ｚにおいて、突条部３７を切欠き部４６３に投影した場合、切欠き部に侵入可能な寸法に設定されている。ここで、仮に内板４５に凸部４５Ａがない場合を想定すると、端子４が端子収容室２１１に中途挿入された状態である途中挿入状態おいて、仮係止状態にあるリテーナ３を上方向Ｚ１に向けて挿入すると、突条部３７が、内板４５に当接する。これにより、リテーナ下表面３Ａは、下表面２１Ａより所定の突出量「Ｔ」だけ突出することになる（図６，図７参照）。一方、本実施形態のように、内板４５が凸部４５Ａを有していると、途中挿入状態において、仮係止状態にあるリテーナ３を上方向Ｚ１に向けて挿入すると、リテーナ３の突条部３７が内板４５の凸部４５Ａに当接し、リテーナ下表面３Ａは、下表面２１Ａより所定の突出量「Ｔ」に加えた凸部の突出量分「ΔＴ」だけ増えて下方向Ｚ２に突出する。
【００４２】
ここで、コネクタ１の組み立てについて説明する。リテーナ３は、予めハウジング本体２１の挿入空間開口部２１８Ａよりリテーナ挿入空間２１８に挿入され、ハウジング本体２１に対して仮係止位置に位置しており仮係止状態になっている。仮係止状態において、電線Ｗと接続された端子４が、ハウジング本体２１の開口部２１６より、複数の端子収容室２１１に対して挿入される。端子４が端子収容室２１１の所定位置に収容され、挿入完了状態となると、ランス２１７に対して端子４が係合する。次に、仮係止位置に位置しているリテーナ３を本係係止位置まで挿入する。リテーナ３が本係止位置に位置して本係止状態になると、リテーナ３の第２係止部３６Ａが、端子４の第２被係止部４６２Ｂと係合する。以上により、コネクタ１の組み立ては完了する。
【００４３】
本実施形態では、図５に示すように、端子４の天井板４６と内板４５が重ねられており、また、前後方向Ｘにおいて、内板４５の凸部４５Ａが後方天井板４６２の凸部係合面４６２Ａと係合している。よって、電線Ｗと接続された端子４を運搬等で取り扱っている最中に、端子４における後方天井板４６２の後方向Ｘ２側が周辺に引っ掛った状態で電線Ｗに後方向Ｘ２への引っ張り力が加わっても、後方天井板４６２は、前後方向Ｘにおいて、内板４５との相対的移動が防止される。したがって、後方天井板４６２と内板４５との相対的移動による箱部４１の変形を防止できる。これにより、端子４の強度を向上させることができる。
【００４４】
また、本実施形態では、途中挿入状態において、仮係止状態にあるリテーナ３を上方向Ｚ１に向けて挿入すると、リテーナ３の突条部３７が内板４５の凸部４５Ａに当接し、リテーナ下表面３Ａは、下表面２１Ａより所定の突出量「Ｔ」に加えた凸部の突出量分「ΔＴ」だけ増えて下方向Ｚ２に突出する。したがって、リテーナ３が本係止位置においてリテーナ下表面３Ａが下表面２１Ａと高さ方向Ｚにおいて略面一となる場合と比較して、途中挿入状態において、リテーナ３の突条部３７が内板４５の凸部４５Ａに当接した状態における下表面２１Ａに対するリテーナ下表面３Ａの下方向Ｚ２の突出量が増加するため、作業員が視覚、あるいは触覚に基づいて、端子４が途中挿入状態であることを容易に把握することができる。これにより、ハウジング２に挿入する端子４の中途挿入をより確実に検知することができ、端子４の強度を向上させる凸部を利用して、検知精度を高めることができる。
【００４５】
本実施例では、リテーナ３の係止突部３２Ａとハウジング本体２１の仮係止突部２１Ｃは、仮係止手段を構成し、また、リテーナ３の係止突部３２Ａとハウジング本体２１の本係止突部２１Ｄは、本係止手段を構成している。リテーナ３は、予めハウジング本体２１における下方向Ｚ２側の挿入空間開口部２１８Ａより上方向Ｚ１に向けてリテーナ挿入空間２１８に挿入されており、リテーナ３が仮係止状態になっている。リテーナ３の仮係止状態では、リテーナ３の端子挿通孔３１が、前後方向Ｘにおいてハウジング本体２１の端子収容室２１１と一致して連通しており、端子４を端子収容室２１１に挿入する過程において、端子４は、端子挿通孔３１を通過することができる。従って、ハウジング２に対してリテーナ３を仮係止状態にして一体化したまま端子４の挿入工程へ、ハウジング２を供給することができる。また、ハウジング２とリテーナ３が一体化されていることにより、管理が容易となる。
【００４６】
上記した実施形態では、タブ４８を有する雄型の端子４が収容される雄型のコネクタ１であるが、雌型の端子を収容する雌型のコネクタであってもよい。
【００４７】
上記した実施形態では、仮係止状態では、ハウジング本体２１の仮係止突部２１Ｃとリテーナ３の係止突部３２Ａが係合し、また、本係止状態では、ハウジング本体２１の本係止突部２１Ｄがリテーナ３の係止突部３２Ａと係合するようになっている。しかし、ハウジング本体２１の仮係止突部２１Ｃをなくして、仮係止状態をなくしてもよい。ただし、この場合は、リテーナの端子挿通孔を完全な筒状にしてしまうと、ハウジング本体に対しリテーナが組み付かなくなるので、端子挿通孔は半筒状にする必要がある。
【００４８】
上記した実施形態では、端子４における天井板４６の切欠き部４６３は、幅方向Ｙにおいて第１側板４３の左方向Ｙ１側の面から２側板４４の右方向Ｙ２側の面に渡って成形されている。しかし、天井板４６の切欠き部は、幅方向Ｙにおいて、天井板の幅寸内に成形された孔であってもよい。この場合、突条部の幅寸法は、天井板における孔の幅寸より小さくする必要がある。
【符号の説明】
【００４９】
１  コネクタ
２  ハウジング
２１  ハウジング本体
２１Ａ  下表面
２１Ｃ  仮係止突部（仮係止手段）
２１Ｄ  本係止突部（本係止手段）
２１１  端子収容室
２１６  開口部
２１７  ランス
２１７Ａ  第１係止部
２１８  挿入空間
２１８Ａ  挿入空間開口部
３  リテーナ
３Ａ  リテーナ下表面
３２Ａ  係止突部（仮係止手段、本係止手段）
３６Ａ  第２係止部
３７  突条部
４  端子
４１  箱部
４２  底板
４３  第１側板
４４  第２側板
４５  内板
４５Ａ  凸部
４６  天井板
４６１  前方天井板
４６１Ａ  第１被係止部
４６２  後方天井板
４６２Ａ  凸部係合面
４６２Ｂ  第２被係止部
４６３  切欠き部
４７  電線接続部
Ｗ  電線
【図１】
2019212549.tif 000003
【図２】
2019212549.tif 000004
【図３】
2019212549.tif 000005
【図４】
2019212549.tif 000006
【図５】
2019212549.tif 000007
【図６】
2019212549.tif 000008
【図７】
2019212549.tif 000009